(57)【要約】【課題】本発明は、複数の無線機器をシステム内に備えた場合、それぞれの設置状況および無線での接続状況を容易に確認できないということを課題とするものである。【解決手段】状態情報を無線データとして送受信する無線機能を内蔵した複数の機器１と、この機器１それぞれと無線データを送受信する中継機器２と、中継機器２に接続され、この中継機器２からの信号によりガスの供給を制御するガスマイコンメーター３とで構成され、中継機器２には表示部４を備え、無線データを送受信する複数の機器１との接続状態を表示部４に表示する。【選択図】図２
2009069927.tif 000002
【特許請求の範囲】
【請求項１】
状態情報を無線データとして送受信する無線機能を内蔵した複数の機器と、この機器それぞれと無線データを送受信する中継機器と、前記中継機器に接続され、この中継機器からの信号によりガスの供給を制御するガスマイコンメーターとで構成され、前記中継機器に表示部を備え、前記無線データを送受信する複数の機器との接続状態を前記表示部に表示することを特徴としたガス保安システム。
【請求項２】
前記中継機器の表示部に、前記無線データを送受信する複数の機器の状態情報を表示することを特徴とした請求項１記載のガス保安システム。
【請求項３】
前記ガスマイコンメーターに表示部を備え、前記中継器と無線データを送受信する複数の機器との接続状態を前記ガスマイコンメーターの表示部に表示することを特徴とした請求項１記載のガス保安システム。
【請求項４】
前記ガスマイコンメーターに表示部を備え、前記中継器と無線データを送受信する複数の機器の状態情報を前記ガスマイコンメーターの表示部に表示することを特徴とした請求項１記載のガス保安システム。
【請求項５】
前記中継器との接続状態を前記ガスマイコンメーターの表示部に表示することを特徴とした請求項４記載のガス保安システム。
【請求項６】
前記ガスマイコンメーターに接続され、前記ガスマイコンメーターの情報を公衆回線網との間で無線で送受する公衆無線機を備え、前記公衆無線機と公衆回線網との無線通信の状態を前記ガスマイコンメーターの表示部に表示することを特徴とした請求項５記載のガス保安システム。
【発明の詳細な説明】
【技術分野】
【０００１】
本発明は、ガス流量を計測し、異常流量が計測された場合にはガス通路を遮断し、ガス使用上の安全性を確保するガス保安システムに関するものである。
【背景技術】
【０００２】
近年、ガスの使用量を計測するガスメータに、多量の流量が計測された場合や、通常ではありえないほどの長時間使用があった場合には、異常と判定してガス通路を遮断し、安全性を確保する保安装置が内蔵されたものが普及している。
【０００３】
また、このガスメーターが接続された家屋内に設置されたガス漏れ警報器、火災警報機、ＣＯ警報器等の各種機器との間で情報を無線データとして送受信する装置が実用化されている。この装置は、親機と子機から構成されており、それぞれ前者はガスメータに、後者は各種機器に接続され、データの送受信は親機と子機間で直接行うようになっている（例えば、特許文献１参照）。
【特許文献１】特開平８−６５７７０号公報
【発明の開示】
【発明が解決しようとする課題】
【０００４】
しかしながら、複数の機器が無線で接続されているにもかかわらず、どの様な機器がガスマイコンメーターに接続されているか分からず、また、各機器のその時々の状態も容易に確認できないという課題があった。
【０００５】
また、無線通信の通信の健全性を目視で確認できないという課題もあった。
【課題を解決するための手段】
【０００６】
上記課題を解決するため本発明では、ガスマイコンメーターの表示部に無線接続機器の接続表示と状態表示機能をもたせ、また、無線通信時の通信確認も行えるようにしたものである。
【発明の効果】
【０００７】
本発明は、ガスマイコンメーターの表示部に接続機器の接続状態と接続機器の動作状態を表示する機能をもたせ、ガスマイコンメーターの表示部を確認することでシステム全体の状態を確認できるようにしたものである。
【発明を実施するための最良の形態】
【０００８】
第１の発明のガス保安システムは、状態情報を無線データとして送受信する無線機能を内蔵した複数の機器と、この機器それぞれと無線データを送受信する中継機器と、前記中継機器に接続され、この中継機器からの信号によりガスの供給を制御するガスマイコンメーターとで構成され、前記中継機器に表示部を備え、前記無線データを送受信する複数の機器との接続状態を前記表示部に表示するようにしたものである。
【０００９】
これにより、システムを構成する無線機器の接続状態を瞬時に確認することができる。
【００１０】
第２の発明のガス保安システムは、第１の発明のガス保安システムにおいて、前記中継機器の表示部に、前記無線データを送受信する複数の機器の状態情報を表示するようにしたものである。
【００１１】
これにより、システム内の各無線機器がそれぞれどのような状態であるか、中継機器の表示部を見るだけで認識することができる。
【００１２】
第３の発明のガス保安システムは、第１の発明のガス保安システムにおいて、前記ガスマイコンメーターに表示部を備え、前記中継器と無線データを送受信する複数の機器との接続状態を前記ガスマイコンメーターの表示部に表示するようにしたものである。
【００１３】
これにより、中継機器の近くまで行けない状況であっても、ガスマイコンメーターの表示部を見るだけでシステムを構成する無線機器の接続状態を確認することができる。
【００１４】
第４の発明のガス保安システムは、第１の発明のガス保安システムにおいて、前記ガスマイコンメーターに表示部を備え、前記中継器と無線データを送受信する複数の機器の状態情報を前記ガスマイコンメーターの表示部に表示するようにしたものである。
【００１５】
これにより、ガスマイコンメーターの表示部を見るだけで、システム内の各無線機器がそれぞれどのような状態であるか認識することができる。
【００１６】
第５の発明のガス保安システムは、第４の発明のガス保安システムにおいて、前記中継器との接続状態を前記ガスマイコンメーターの表示部に表示するようにしたものである。
【００１７】
これにより、中継器との接続に問題がないか、ガスマイコンメーターの表示部を見るだけで確認できるようになる。
【００１８】
第６の発明のガス保安システムは、第５の発明のガス保安システムにおいて、前記ガスマイコンメーターに接続され、前記ガスマイコンメーターの情報を公衆回線網との間で無線で送受する公衆無線機を備え、前記公衆無線機と公衆回線網との無線通信の状態を前記ガスマイコンメーターの表示部に表示するようにしたものである。
【００１９】
これにより、ガスマイコンメーターと公衆回線網間の無線通信の健全性を表示部を見るだけで確認できるようになる。
【００２０】
以下、本発明の実施の形態について図面を用いて説明する。なお、この実施の形態によって本発明が限定されるものではない。
【００２１】
（実施の形態１）
図１は本発明の実施の形態１によるガス保安システムを示す構成図である。
【００２２】
１は、機器で、ガス漏れ警報器、火災警報器、ＣＯ警報器、ガス使用機器等を表している。２は中継機器で、複数の機器１のそれぞれと情報を無線データとして送受信する。中継機器２は、ガスマイコンメーター３に接続されており、機器１から受信した無線データをガスマイコンメーター３へ送る。ガスマイコンメーター３は、ガス流量の計測部、ガス通路の遮断装置で主に構成されており、受け取った機器のデータを利用して流量計測値を補正したり、ガス通路を遮断したりする。逆の経路で、ガスマイコンメーター３からの指示データを機器１へ送ることもできる。
【００２３】
本発明の実施の形態１によると、中継機器２に表示部４を設け、中継機器２と無線データを送受信する複数の機器１の名称や型番が、それぞれ表示部４に表示されるようにする。
【００２４】
これにより、システムを構成する複数の無線機器の接続状態を瞬時に確認することがで
きる。
【００２５】
中継機器２が表示部４に表示する機器１は、中継機器２と機器１の縁組み動作が完了してから自動的に表示するようにしても良いし、中継機器２として表示する機器を手動で設定しても良い。
【００２６】
（実施の形態２）
本発明の実施の形態２によると、図２に示すように、中継機器２の表示部４に無線で接続された各機器１のその時々の状態を表示されるようにする。
【００２７】
これにより、中継機器の表示部を確認するだけで、複数の無線機器の接続状態（機器Ａ、機器Ｂなどといった表示）だけでなく、各場所に設置された機器の現在の状態（警戒中、ガス漏れ発生などといった表示）を把握することができる。
【００２８】
（実施の形態３）
本発明の実施の形態３によると、中継機器２と無線データを送受信する各機器１の名称や型番が、ガスマイコンメーター３の表示部にそれぞれ表示されるようにする。
【００２９】
これにより、中継機器の近くまで行けない状況であっても、ガスマイコンメーターの表示部を見るだけでシステムを構成する無線機器の接続状態を確認することができる。
【００３０】
（実施の形態４）
本発明の実施の形態４によると、中継機器２と無線データを送受信する各機器１のその時々の状態を、ガスマイコンメーター３の表示部にそれぞれ表示されるようにする。
【００３１】
これにより、中継機器の近くまで行けない状況であっても、ガスマイコンメーターの表示部を見るだけで、システム内の各無線機器がそれぞれどのような状態であるか認識することができる。
【００３２】
（実施の形態５）
本発明の実施の形態５によると、実施の形態４で表示した各無線機器の状態表示に加え、中継機器２との接続状態もガスマイコンメーターの表示部に表示するようにする。
【００３３】
これにより、中継器との接続に問題がないか、ガスマイコンメーターの表示部を見るだけで確認できるようになる。
【００３４】
（実施の形態６）
本発明の実施の形態６によると、図３に示すように、公衆回線網６と無線によりデータを送受信する公衆無線機５を、ガスマイコンメーター３に接続し、この公衆無線機５と公衆回線網６との通信状況をガスマイコンメーター３の表示部に表示されるようにする。
【００３５】
これにより、ガスマイコンメーターと公衆回線網間の無線通信の健全性を表示部を見るだけで確認できるようになる。
【００３６】
もちろん、表示内容は、通信の成否だけでもよいし、経過表示（無線通信中であることを表示）を行ってもよい。
【００３７】
なお、以上の実施例における機器は３台であるがもっと多数であってもかまわないし、少なくても良い。
【産業上の利用可能性】
【００３８】
以上のように、本発明にかかるガス保安システムは、システムにおける複数の機器の有無と状態を一括して確認することができる。
【図面の簡単な説明】
【００３９】
【図１】本発明の実施の形態１におけるガス保安システムを示す構成図
【図２】本発明の実施の形態２におけるガス保安システムの表示例図
【図３】本発明の実施の形態６におけるガス保安システムを示す構成図
【符号の説明】
【００４０】
１  機器
２  中継機器
３  ガスマイコンメーター
４  表示部
５  公衆無線機
６  公衆回線網
【図１】
2009069927.tif 000003
【図２】
2009069927.tif 000004
【図３】
2009069927.tif 000005